(57)【特許請求の範囲】
【請求項１】
同心状に配設される２つの部材間に設けられて両部材間の対向空間を軸方向で仕切る密封装置であって、
第１部材に中間ばめあるいはすきまばめ状態で嵌合される環体と、第２部材側に取り外し可能な状態で一体的に取り付けられかつ前記環体に対して接触させられるリップを有するシールリングとを備え、
前記環体が第１部材に対して結合手段を介して相対変位を阻止する状態で取り付けられていて、
前記結合手段は、環体と第１部材との嵌合部に当該両者に軸方向で引っ掛かる状態で介装されて当該両者の軸方向変位を阻止する抜け止め部材からなり、
前記抜け止め部材は、環体と第１部材とに軸方向位置が一致する関係で設けられる周溝間に対して、前記環体に周溝に連接する状態で設けられる開口から、挿入される可撓性棒体からなる、ことを特徴とする密封装置。
【請求項２】
請求項１の密封装置において、前記結合手段は、さらに環体と第１部材との嵌合部に当該両者間に摩擦抵抗を付与する状態で介装される摩擦抵抗付与部材を備える、ことを特徴とする密封装置。
【請求項３】
請求項２の密封装置において、前記摩擦抵抗付与部材は、環体と第１部材とのいずれか一方に設けられる周溝に嵌着されて残り他方に対して圧接されるＯリングからなる、ことを特徴とする密封装置。
【請求項４】
請求項１ないし３のいずれかの密封装置において、前記結合手段は、さらに環体と第１部材とに軸方向から係合する状態に振り分けて設けられて当該両者の相対回転を阻止する凹部および凸部を備える、ことを特徴とする密封装置。
【請求項５】
請求項４の密封装置において、前記凹部は、環体において当該環体の嵌合方向先端側に設けられ、前記凸部は、第１部材において前記環体の凹部に対応して設けられるものである、ことを特徴とする密封装置。
【請求項６】
請求項１ないし５のいずれかの密封装置において、前記環体は、円筒部と、その軸方向一端に径方向に延出する形態で連接されかつ周縁部分がシールリングあるいは第２部材に対して微小隙間を介して対向させられる環状板部とを有する、ことを特徴とする密封装置。
【請求項７】
請求項６の密封装置において、前記シールリングのリップは、環体の円筒部に対して接触するラジアルリップと、環体の環状板部に対して接触するサイドリップとを含む、ことを特徴とする密封装置。
【請求項８】
請求項７の密封装置において、前記環体の環状板部にはさらに前記ラジアルリップのサイドリップの接触する面とは軸方向に反対側の面から突出する第２のサイドリップを含む、ことを特徴とする密封装置。
【発明の詳細な説明】
【０００１】
【発明の属する技術分野】
本発明は、密封装置に関する。この密封装置は、例えば圧延ロール支持用軸受の少なくとも軸方向一端側に装着されて使用される。
【０００２】
【従来の技術】
従来、圧延機における圧延ロール支持用軸受の軸方向両端には、例えば内部に潤滑剤を密封するとともに、外部から圧延ロールを冷却する水などが侵入するのを防止するために密封装置が装着されている。
【０００３】
この種の密封装置の一例を図１４に示して説明する。この図１４には、密封装置を転がり軸受の内・外輪間に装着した状態を示している。図中、８０は軸受内輪、８１は軸受外輪、８２は密封装置としてのシールリング、８３はシール保持環である。
【０００４】
シールリング８２は、上半断面がほぼ逆さＬ字形の環状芯金８４の内周に主リップ８５および補助リップ８６を被着した構成になっている。主リップ８５は、その外周にガータスプリングと呼ばれる弾性リング８７が嵌着され、この弾性リング８７の緊縛力でもって軸受内輪８０などの外周面に圧接させられている。一方の補助リップ８６は、軸受内輪８０に対して微小隙間を介して対向させられている。
【０００５】
【発明が解決しようとする課題】
ところで、上記従来のシールリング８２は、主リップ８５を軸受内輪８０に対して圧接させているために、使用経過に伴い軸受内輪８０の外周面が徐々に摩耗することになって、ここの密封性が低下する傾向となる。
【０００６】
特に、主リップ８５は、軸受の外側に配置されていて、この主リップ８５に対して外部の水が直接的にかかるようになっているために、前述したように軸受内輪８０の摩耗が原因となる密封性が低下すると、前記水が軸受内部へ侵入しやすくなり、軸受内部の潤滑剤を劣化させることになりやすい。
【０００７】
これに対して、図１５に示すように、上述した図１４に示すシールリング８２に、スリンガーと呼ばれる環体９０を組み合わせて、密封装置を構成したものがある。
【０００８】
環体９０は、上半断面がほぼ逆向きＬ字形に形成されている。この環体９０の円筒部９１が軸受内輪８０の外周面に対して圧入により嵌合されており、環状板部９２がシールリング９０の主リップ８５および補助リップ８６を外部から隠蔽するようになっている。
【０００９】
この環体９０の円筒部９１に対してシールリング８２の主リップ８５が圧接させられるようになっている。
【００１０】
このような構成であれば、使用経過に伴い環体９０の円筒部９１において主リップ８５の接触部位が摩耗することになるので、この環体９０を交換すればよくなる。しかも、そのような摩耗が発生しても、環体９０の環状板部９２の存在によって主リップ８５側に外部の水が直接かからないようになっているから、密封性は比較的良好に保たれると言える。
【００１１】
しかしながら、このような従来例の場合では、環体９０を軸受内輪８０に対して圧入嵌合することにより装着しているために、その着脱作業がかなり面倒であることが指摘される。しかも、このような環体９０の交換時には、問題とならないが、単にメインテナンスの目的で環体９０を取り外すような場合には、無理抜きする必要があるために、環状板部９２が変形するなど、再利用できないことが指摘される。
【００１２】
このような事情に鑑み、本発明は、シールリングに環体を組み合わせてなる密封装置において、環体を変形させずに簡単に着脱できるようにすることを目的としている。
【００１３】
【課題を解決するための手段】
請求項１の発明にかかる密封装置は、同心状に配設される２つの部材間に設けられて両部材間の対向空間を軸方向で仕切る密封装置であって、第１部材に中間ばめあるいはすきまばめ状態で嵌合される環体と、第２部材側に取り外し可能な状態で一体的に取り付けられかつ前記環体に対して接触させられるリップを有するシールリングとを備え、前記環体が第１部材に対して結合手段を介して相対変位を阻止する状態で取り付けられていて、前記結合手段は、環体と第１部材との嵌合部に当該両者に軸方向で引っ掛かる状態で介装されて当該両者の軸方向変位を阻止する抜け止め部材からなり、前記抜け止め部材は、環体と第１部材とに軸方向位置が一致する関係で設けられる周溝間に対して、前記環体に周溝に連接する状態で設けられる開口から、挿入される可撓性棒体からなる。
【００１４】
請求項２の発明にかかる密封装置は、請求項１の密封装置において、前記結合手段は、さらに環体と第１部材との嵌合部に当該両者間に摩擦抵抗を付与する状態で介装される摩擦抵抗付与部材を備える。
【００１５】
請求項３の発明にかかる密封装置は、請求項２の密封装置において、前記摩擦抵抗付与部材は、環体と第１部材とのいずれか一方に設けられる周溝に嵌着されて残り他方に対して圧接されるＯリングからなる。
【００１６】
請求項４の発明にかかる密封装置は、請求項１ないし３のいずれかの密封装置において、前記結合手段は、さらに環体と第１部材とに軸方向から係合する状態に振り分けて設けられて当該両者の相対回転を阻止する凹部および凸部を備える。
【００１７】
請求項５の発明にかかる密封装置は、請求項４の密封装置において、前記凹部は、環体において当該環体の嵌合方向先端側に設けられ、前記凸部は、第１部材において前記環体の凹部に対応して設けられるものである。
【００２０】
請求項６の発明にかかる密封装置は、請求項１ないし５のいずれかの密封装置において、前記環体は、円筒部と、その軸方向一端に径方向に延出する形態で連接されかつ周縁部分がシールリングあるいは第２部材に対して微小隙間を介して対向させられる環状板部とを有する。
【００２１】
請求項７の発明にかかる密封装置は、請求項６の密封装置において、前記シールリングのリップは、環体の円筒部に対して接触するラジアルリップと、環体の環状板部に対して接触するサイドリップとを含む。
【００２２】
請求項８の発明にかかる密封装置は、前記環体の環状板部にはさらに前記ラジアルリップのサイドリップの接触する面とは軸方向に反対側の面から突出する第２のサイドリップを含む。
【００２３】
以上、本発明では、要するに、シールリングのリップが接触させられる環体を、例えば軸受内輪などの第１部材に対して抵抗少なく嵌合させることを可能にしている。この状態では、第１部材と環体とが相対変位可能になってしまうので、それらを結合手段でもって相対変位させないようにしている。なお、ここでの相対変位とは、軸方向の動きあるい回転方向の動きを意味している。
【００２４】
このように、環体をすきまばめあるいは中間ばめ状態で第１部材に対して嵌合するようにしているので、従来例のような圧入に比べて、環体の脱着作業が簡単に行えるようになるとともに、環体を取り外すときに無理抜きしなくて済むので環体の変形を回避できるようになり、再利用が可能となる。
【００２５】
そして、請求項２や請求項３に係る発明では、摩擦抵抗でもって第１部材と環体との相対変位を規制するようにしており、請求項４や請求項５では、回転方向の引っ掛かりでもって第１部材と環体との相対回転を阻止するようにしている。なお、請求項３では、Ｏリングが、環体と第１部材との嵌合面をシールするようになる。
【００２６】
また、請求項６では、前記環体としてシールリングのリップを外部から隠蔽するような形状にしているから、密封性が一層高められる。
【００２７】
さらに、請求項７では、シールリングのリップとして、請求項６の環体における円筒部に対して接触するラジアルリップと、請求項６の環体における環状板部に対して接触するサイドリップとを含むものとしているから、密封性がより一層高められる。
【００２８】
【発明の実施の形態】
本発明の詳細を図面に示す実施形態に基づいて説明する。
【００２９】
ここでは、本発明の密封装置を、例えば図１および図２に示すような圧延ロール支持軸受の軸方向両端に装着して使用する場合を例に挙げる。
【００３０】
まず、本発明の密封装置を説明するにあたって、その使用対象となる圧延ロール支持部について簡単に説明する。
【００３１】
図１において、１は圧延ロール、２はロールチョック、３は圧延ロール支持軸受としてのラジアルタイプの転がり軸受、４，５は転がり軸受３の内輪押さえ部材、６，７は転がり軸受３の外輪押さえ部材、８〜１２は一対の内輪押さえ部材４，５と一対の外輪押さえ部材６，７とのそれぞれの対向隙間に配設されるシールである。
【００３２】
転がり軸受３は、図２に示すように、４列円錐ころ軸受とされており、２つの内輪２０と、３つの外輪２１と、複数の円錐ころ２２と、４つの保持器２３とを備えている。このうち、２つの内輪２０，２０の各一方軸端に張り出し部２４，２４が形成されていて、それにより、すべての内輪２０を合わせた軸方向幅が、すべての外輪２１を合わせた軸方向の幅よりも大きく設定されている。
【００３３】
このような圧延機では、圧延ロール１を冷却するために圧延ロール１に対して水をかけるようになっているので、この水が転がり軸受３に対して直接的にかからないように、転がり軸受３の外部に複数のシール８〜１２を設けている。しかし、この水は、これら複数のシール８〜１２を通過することがあるので、転がり軸受３内部への水の侵入を防止するために、転がり軸受３の軸方向両端に密封装置３０を装着するようにしている。
【００３４】
なお、通常、上述した圧延機では、密封装置３０をシール保持環１３を介して外輪２１の側方に隣接する状態に内輪２０の張り出し部２４の外周に配設するようになっている。
【００３５】
図３は本発明の実施形態１の密封装置の上半分の縦断側面図である。この実施形態１での密封装置３０は、シールリング４０と、スリンガーと呼ばれる環体５０とを組み合わせた構成になっている。
【００３６】
シールリング４０は、上半断面がほぼ逆さＬ字形の環状芯金４１の内周に主リップ４２および補助リップ４３を被着した構成になっている。主リップ４２は、その外周にガータスプリングと呼ばれる弾性リング４４が嵌着され、この弾性リング４４の緊縛力でもって環体５０の外周面に圧接させられる。一方の補助リップ４３は、環体５０に対して微小隙間を介して対向させられる。
【００３７】
環体５０は、ほぼ円筒形に形成されたものであり、その軸方向一端には、径方向外向きに立ち上がる立ち上がり部５１が設けられている。この立ち上がり部５１は、シールリング４０の補助リップ４３との間でラビリンス密封部を形成するためのものである。この環体５０は、例えば炭素鋼（ＪＩＳ規格Ｓ４５Ｃ）などの金属材を、板金、切削してから、焼入れ硬化するとともにクロームメッキして製作される。
【００３８】
そして、上述したシールリング４０は、シール保持環１３を介してロールチョック１１の内周面に対して嵌合されるとともに、転がり軸受３の外輪２１の側方に隣接配置される。なお、シールリング４０は、シール保持環１３の内周面に圧入嵌合により取り外し可能な状態で一体的に取り付けられている。
【００３９】
また、上述した環体５０は、転がり軸受３の内輪２０の張り出し部２４に対して、すきまばめあるいは中間ばめとなる状態で嵌合することにより、抵抗少なく着脱できるようになっている。このため、環体５０が内輪２０に対して軸方向に抜け出しやすくかつ周方向に回転しやすい状態になってしまうので、下記するように環体５０を内輪２０に対して軸方向抜け出しおよび周方向回転を阻止する状態に結合するように対処している。
【００４０】
具体的に、内輪２０と環体５０との嵌合部には、摩擦抵抗付与部材としてのＯリング６０と、抜け止め部材としての可撓性棒体６１と、ピン６２とが設けられている。可撓性棒体６１は、巻径が微小とされた金属製のコイルスプリングからなる。ピン６２は、例えば炭素鋼（ＪＩＳ規格Ｓ４５Ｃ）などの金属材からなり、例えば焼入れ硬化が施されている。
【００４１】
まず、Ｏリング６０は、内輪２０の張り出し部２４の外周面において軸方向ほぼ中央位置に設けられる第１の周溝７１に対して嵌着されていて、その外周部分が環体５０の内周面に対して圧接させられている。これにより、Ｏリング６０が環体５０に対して摩擦抵抗を付与するとともに、環体５０と内輪２０との間を密封するようになる。
【００４２】
また、可撓性棒体６１は、内輪２０の張り出し部２４の外周面において軸端側に設けられる第２の周溝７２と、環体５０の内周面において第２の周溝７２に対応する位置に設けられる周溝７３とで形成する環状空間に、図４に示すように、内輪２０の張り出し部２４の外端側において第２の周溝７２に連接して設けられる切欠き７４から挿入されていて、内輪２０と環体５０とに対して軸方向に引っ掛かるようになっている。これにより、内輪２０に対して環体５０が軸方向へ抜け出すのを阻止するようになる。
【００４３】
さらに、ピン６２は、内輪２０の張り出し部２４の基端側において円周方向の例えば１カ所に径方向に沿って設けられる穴７５に上端が突出する状態で嵌着されていて、その突出部分が、環体５０の内端の内周面において円周の例えば１カ所に軸方向に沿って端縁側へ開放する状態に設けられている凹部７６に対して係合されている。このようなピン６２と凹部７６との係合により、内輪２０に対して環体５０が回転することを阻止するようになる。
【００４４】
このようにして、環体５０を内輪２０に対して軸方向抜け出しおよび周方向回転を阻止する状態に結合している。
【００４５】
ここで、上述した環体５０の着脱時の作業手順について説明する。
【００４６】
まず、取り付ける場合、内輪２０にＯリング６０とピン６２とを装着しておき、この内輪２０に対して環体５０を嵌合する。この嵌合は、すきまばめあるいは中間ばめであるので、環体５０の装着を比較的抵抗少なく行える。この環体５０の嵌合の最終段階で、環体５０の内端の凹部７６をピン６２に軸方向から係合する。これにより、環体５０が内輪２０に対して回転不可能となる。引き続いて、内輪２０の切欠き７４から内輪２０の周溝７２と環体５０の周溝７３との間に形成される環状空間に対して、可撓性棒体６１の一端を差し入れ、これを周方向一方に徐々に押し込む。この実施形態では、最後に可撓性棒体６１の一端の凸部を他端の中空部に差し込んでつなげるようになっている。これにより、環体５０が内輪２０に対して軸方向に抜け止めされる。
【００４７】
ところで、この取り付け性を良好とするために、ピン６２の外径寸法よりも凹部７６の周方向の幅寸法を大きく設定しているとともに、可撓性棒体６１の外径寸法よりも、２つの周溝７２、７３とで形成する環状空間の内径寸法を大きく設定している。この場合、環体５０が軸方向ならびに周方向に遊びを持つために、がたつきやすい状態であると言えるが、Ｏリング６０で環体５０に対して摩擦抵抗を付与しているので、前記遊びが吸収されることになってがたつきを阻止できるようになっている。
【００４８】
一方、取り外す場合は、まず、環体５０の切欠き７４から手あるいはスパナなどの工具を入れて、可撓性棒体６１の両端を引き離してから、この可撓性棒体６１を引き抜く。続いて、環体５０を引き抜けばよい。この状態では、環体５０はＯリング６０の摩擦抵抗だけで内輪２０に嵌合されているので、その引き抜きは従来例の圧入に比べて抵抗少なく簡単に行える。そのため、環体５０が変形することがなくなる。
【００４９】
以上説明したような密封装置３０では、使用経過に伴いシールリング４０の主リップ４２との摺接によって環体５０の外周面の摩耗が進行することは避けられないが、この環体５０を交換するときの脱着作業が簡単に行えるようになる。また、上述したような環体５０の摩耗とは別に、メインテナンスのために軸受内部を点検するために、密封装置３０を取り外す場合にあっても、環体５０を内輪２０から変形させずに簡単に取り外すことができるから、当該環体５０を再利用することができる。
【００５０】
なお、本発明は上記実施形態のみに限定されるものではなく、種々な応用や変形が考えられる。
【００５１】
（１）図５は本発明の実施形態２にかかり、図３に対応する図である。この実施形態２では、シールリング４０にサイドリップ４５を設けるとともに、内輪押さえ部材１３，１４において内端側の外径を大きく設定し、この内輪押さえ部材１３，１４の内端部端面に対して前述のサイドリップ４５を接触させるようにしている。この場合、もし万が一、転がり軸受３の外部シール２２〜２６を水が通過したときでも、この水をシールリング４０の主リップ４２側へ到達させにくくすることができる。
【００５２】
（２）  図６は本発明の実施形態３にかかり、図３に対応する図である。この実施形態３では、環体５０の上半分断面をほぼ逆向きＬ字形に形成している。そして、環体５０の径方向外向きに立ち上がる環状板部５２の外周縁をシールリング４０の環状芯金４１の外端部に対して微小隙間を介して対向させている。この場合、上記実施形態２と同様に、もし万が一、転がり軸受３の外部のシール８〜１２を水が通過したときでも、この水をシールリング４０の主リップ４２側へ到達させにくくすることができる。
【００５３】
（３）  図７は本発明の実施形態４にかかり、図３に対応する図である。この実施形態４は、上記実施形態２でのシールリング４０と、上記実施形態３での環体５０とを組み合わせた構成になっている。但し、この実施形態４では、シールリング４０のサイドリップ４５を環体５０の環状板部５２の内面に対して接触させるようにしている。この場合、上記実施形態２，３よりもさらに密封性が向上する。
【００５４】
（４）図８は本発明の実施形態５にかかり、図３に対応する図である。この実施形態５は、上記実施形態４の構成を前提としたもので、環体５０の環状板部５２の外面に、サイドリップ４５とは別の第２のサイドリップ５３を設けた講師になっている。そして、この実施形態５では、上記実施形態２のように内輪押さえ部材４，５において内端側の外径を大きく設定し、この内輪押さえ部材４，５の内端部端面に対して前述の第２のサイドリップ５３を接触させるようにしている。この場合、上記実施形態２〜４よりもさらに密封性が向上する。
【００５５】
（５）  図９および図１０は本発明の実施形態６にかかり、図９は、図３の一部に対応する図、図１０は、図９の要部の上面図である。この実施形態６では、上記各実施形態でのピン６２を無くして、その代わりに、内輪２０の張り出し部２４においてその基端側段差部に凸状隆起部６２Ａを設けている。つまり、この凸状隆起部６２Ａが、環体５０の凹部７６に対して係合される。この場合、ピン６２を用いる各実施形態に比べて部品点数および組み込み工数を削減できるから、製作コストの低減に貢献できるようになる。
【００５６】
（６）  図１１および図１２は本発明の実施形態７にかかり、図１１は、図３の一部に対応する図、図１２は、図１１の要部の上面図である。この実施形態７では、上記実施形態６と同様に、上記各実施形態でのピン６２および環体５０の凹部７６を無くして、その代わりに、環体５０の内端の円周例えば１カ所に凸部６２Ｂを設け、さらに、内輪２０の本体部分において張り出し部２４側に開放する凹部７６Ａを設けている。つまり、この環体５０の凸部６２Ｂが、内輪２０の凹部７６Ａに対して係合される。この場合も、上記実施形態６と同様に、ピン６２を用いる各実施形態に比べて部品点数および組み込み工数を削減できるから、製作コストの低減に貢献できるようになる。
【００５７】
（７）  図１３は本発明の実施形態８にかかり、図３の一部に対応する図である。この実施形態８は、上記実施形態３，４，５の変形例であり、シールリング４０の環状芯金４１の軸方向幅寸法を短くする一方で、環体５０の環状板部５２の外径寸法を長くし、この環状板部５２の外周縁をシール保持環１３の内周面に対して、また、環状板部５２の外周側内面をシールリング４０の環状芯金４１の外端部に対して、それぞれ微小隙間を介して対向させるようにしている。
【００５８】
（８）  上記各実施形態でのシールリング４０のリップ形状や数については、図示しないが変更することができる。
【００５９】
（９）  上記各実施形態でのシール保持環１３については、その内端側に径方向内向きの鍔部を設けているが、この鍔部を除去してもよい。その場合、軸方向寸法を縮幅できるようになる。
【００６０】
（１０）  上記各実施形態では、環体５０を転がり軸受３の内輪２０に対して相対変位を阻止する状態で取り付けるために、Ｏリング６０と、可撓性棒体６１と、ピン６２および凹部７６の組み合わせとを用いているが、密封装置３０の設置形態に応じて、これらのうちの少なくともいずれか１つのみを用いるようにしたり、あるいは少なくとも２つを用いるようにしたりすることができる。具体的に数例を挙げる。▲１▼内輪押さえ部材４，５で環体５０を軸方向に受けるような形態で使用する場合には、内輪押さえ部材４，５でもって環体５０の軸方向抜け出しが阻止されるので、ピン６２および凹部７６の組み合わせあるいはＯリング６０のいずれか一方だけを用いて回り止めすればよい。▲２▼内輪押さえ部材４，５で環体５０を軸方向から押圧するような形態で使用する場合には、内輪押さえ部材４，５でもって環体５０が回り止めならびに軸方向抜け出しが阻止されるので、Ｏリング６０だけを用いればよい。つまり、Ｏリング６０だけを用いる場合、環体５０に対するしめしろを調節することにより、その摩擦抵抗でもって環体５０の軸方向変位および周方向変位をある程度阻止することが可能になるから、密封装置の設置形態によっては十分使用可能なものとなる。この場合、Ｏリング６０が柔軟性を有するものであるから、環体５０の取り外しは従来例のような金属どうしの圧入に比べると、簡単になる。さらに、内輪押さえ部材４，５で環体５０を軸方向に受けない場合には、環体５０の内周面と内輪２０の外周面の両方に対向して周溝を形成し、Ｏリング６０を両周溝内に嵌入すれば、環体５０の軸方向抜け出しを阻止することができる。
【００６１】
【発明の効果】
請求項１の発明では、環体を第１部材に対して抵抗少なく嵌合できるようにしながらも、環体を結合手段でもって第１部材に対して軸方向や周方向に相対変位するのを阻止するようにしているから、環体の着脱を従来例のような圧入に比べて簡単にしかも変形させずに行うことができるうえ、使用状態では環体とシールリングのリップとの接触部による密封作用を良好に発揮させることができて、環体を再利用できるようになる。
【００６２】
請求項２や請求項３の発明では、環体の着脱性を良好とするために摩擦抵抗の付与を比較的小さく設定すると、第１部材に対する環体の相対変位の阻止作用が若干弱くなる。しかし、それでも本発明にかかる密封装置の設置形態によっては十分使用可能なものとなる。なお、請求項３の発明では、摩擦抵抗付与部材としてＯリングを用いているから、前記効果に加えて、環体と第１部材との嵌合部分を密封できるようになってここからの水などの侵入を防止できるようになる。
【００６４】
請求項４や請求項５の発明では、環体を簡単に着脱できるようになるとともに、第１部材に対する環体の周方向変位の阻止作用を強くできるものの、第１部材に対する環体の軸方向変位の阻止作用が若干弱くなる。しかし、それでも、本発明にかかる密封装置の設置形態によっては十分使用可能なものとなる。
【００６６】
請求項６の発明では、前記環体としてシールリングのリップを外部から隠蔽でいる形状にしているから、密封性が一層高められることになる。
【００６７】
請求項７の発明では、シールリングのリップとして、請求項６の環体における円筒部に対して接触するラジアルリップと、請求項６の環体における環状板部に対して接触するサイドリップとを含むものとしているから、密封性がさらに一層高められることになる。
【図面の簡単な説明】
【図１】本発明の密封装置の使用対象となる圧延ロール支持部の上半分を示す縦断側面図
【図２】図１中の圧延ロール支持軸受を詳細に示す上半分の縦断側面図
【図３】本発明の実施形態１の密封装置の上半分の縦断側面図
【図４】図３における内輪の張り出し部の一部の平面展開図
【図５】本発明の実施形態２の密封装置の上半分の縦断側面図
【図６】本発明の実施形態３の密封装置の上半分の縦断側面図
【図７】本発明の実施形態４の密封装置の上半分の縦断側面図
【図８】本発明の実施形態５の密封装置の上半分の縦断側面図
【図９】本発明の実施形態６の密封装置の上半分の一部の縦断側面図
【図１０】図９の要部の上面図
【図１１】本発明の実施形態７の密封装置の上半分の一部の縦断側面図
【図１２】図１１の要部の上面図
【図１３】本発明の実施形態８の密封装置の上半分の一部の縦断側面図
【図１４】従来例１の密封装置の上半分の縦断側面図
【図１５】従来例２の密封装置の上半分の縦断側面図
【符号の説明】
３      転がり軸受
１３      シール保持環
２０      転がり軸受の内輪
２１      転がり軸受の外輪
３０      密封装置
４０      密封装置のシールリング
５０      密封装置の環体
６０      Ｏリング
６１      可撓性棒体
６２      ピン（凸部）
７１      内輪に設けられるＯリング装着用の周溝
７２      内輪に設けられる可撓性棒体装着用の周溝
７３      環体に設けられる可撓性棒体装着用の周溝
７４      内輪に設けられる可撓性棒体挿抜用の切欠き
７５      内輪に設けられるピン取付用の穴
７６      環体に設けられるピン係合用の凹部
【図１】
0004046871.tif 000002
【図２】
0004046871.tif 000003
【図３】
0004046871.tif 000004
【図４】
0004046871.tif 000005
【図５】
0004046871.tif 000006
【図６】
0004046871.tif 000007
【図７】
0004046871.tif 000008
【図８】
0004046871.tif 000009
【図９】
0004046871.tif 000010
【図１０】
0004046871.tif 000011
【図１１】
0004046871.tif 000012
【図１２】
0004046871.tif 000013
【図１３】
0004046871.tif 000014
【図１４】
0004046871.tif 000015
【図１５】
0004046871.tif 000016